(57)【要約】  洗濯機用洗剤の小袋（１）を開示する。該小袋は不織布製袋の形態を有し、必要に応じて、染料の吸収体として作用できるように事前加工が施される。また、該小袋は、清浄剤、香料、デスケーラ、および漂白剤のうちの少なくとも１つの物質が添加された、本来の洗浄剤を含む、予め秤量された量の粉末製品を収納する。
2011521087.tif 000002
【特許請求の範囲】
【請求項１】
清浄剤、香料、デスケーラ、および漂白剤のうちの少なくとも１つの物質が添加された、本来の洗浄剤を含む混合物からなる、使用準備済の粉末製品（２）を、予め秤量された量収納する不織布製袋の形態になっており、
上記不織布は、ビスコースおよびポリプロピレンで構成され、洗濯中に、溶液中の遊離染料を吸収し、洗濯物に染料が移ることを防止するように加工されている、洗濯機用洗浄剤の小袋（１）。
【請求項２】
ビスコースおよびポリプロピレンの割合はそれぞれ、８０％および２０％である、請求項１に記載の小袋。
【請求項３】
上記不織布の重量は、７９ｇ／ｍ２  ＋／− １２％である、請求項１〜２のいずれか一項に記載の小袋。
【請求項４】
外周シール（３）によって閉じられた、請求項１〜３のいずれか一項に記載の小袋。
【請求項５】
上記袋のサイズは、１０ｃｍ×１０ｃｍから２０ｃｍ×３０ｃｍまでの範囲である、請求項１〜４のいずれか１項に記載の小袋。
【請求項６】
上記製品（２）の組成は、
アニオン性界面活性剤  ７％、
非イオン性界面活性剤  ６％、
ナトリウム石鹸  ３％、  金属イオン封鎖剤  １２％、
炭酸塩  １２％、
ケイ酸塩  ５％、
過炭酸ナトリウム  １３％、
香料  ０．２％、
酵素  ０．５％、
ＴＡＥＤ（テトラアセチルエチレンジアミン）、再析出防止剤、リン酸塩、消泡剤、および蛍光増白剤  ＜１％、
充填剤としてのケイ酸ナトリウム  １００％になるように適量、
である、請求項１〜５のいずれか１項に記載の小袋。
【発明の詳細な説明】
【発明の詳細な説明】
【０００１】
本発明は、予め秤量され、粉砕された、洗濯機用の粉末洗浄剤の小袋に関する。
【０００２】
現在のところ、洗濯サイクルを実施するとき、液状及び／または粉末状の、様々な製品が用いられる。これら製品は、洗濯機ドラム内の洗濯物の中に置かれた、適切な収納器及び／または容器に投入されており、この収納器及び／または容器から上記様々な製品が徐々に放出される。
【０００３】
このような製品は、特に、本来の洗濯機用洗浄剤、清浄剤、柔軟剤、香料、デスケーラ(descalers) 、及び漂白剤を含む。さらに、最近、色物を洗濯する場合、洗濯物の中に置かれたときに分散性染料を吸収する不織布の特殊シートが提案されている。
【０００４】
このような製品を別々に使用することに、欠点がないわけではない。
【０００５】
まず、実用的な観点から見れば、様々な製品を個別に取り扱うことは使用者にとって容易ではなく、不適切な量を計量するリスクを伴う。
【０００６】
他の欠点は、各種製品の小袋は、しばしば非常に嵩張るのにもかかわらず、保管しておかなければないらないことである。
【０００７】
さらに他の欠点は、各種製品の包装の仕方の違いから生じる。つまり、包装が大きく、液体の場合には重くなることに加えて、プラスチック製であればリサイクルが困難である。
【０００８】
本発明の目的は、使用準備済製品の小袋を提供することによって、上記欠点を解消することである。使用準備済製品の小袋は、個々の製品を計量しなければならない手間が省けて、実用的であり、最低限のスペースしか取らない。
【０００９】
本発明によれば、この目的は、添付の独立請求項１に記載の特徴によって実現される。
【００１０】
本発明における各種の好適な実施形態は、従属請求項から明らかである。
【００１１】
本発明の洗濯機用洗浄剤の小袋は、不織布袋の形態になっており、この袋は、次の物質、すなわち、清浄剤、香料、デスケーラ、および漂白剤のうちの少なくとも一つと混合した粉末洗剤を予め秤量された量で収納する。
【００１２】
上記袋のサイズは、１０ｃｍ×１０ｃｍから２０ｃｍ×３０ｃｍまでのばらつきがあり、その不織布は、好ましくは、外周に閉じ用シールを設けてシールできるように、８０％ビスコースおよび２０％ポリプロピレンを含有する。
【００１３】
本発明の袋に用いる上記不織布は、分散染料を洗濯中に吸収できるように適宜加工され、染料が洗濯物に移ることを防止する。
【００１４】
本発明の他の特徴は、下記の詳細な説明によって明らかになるであろう。なお、下記の説明は、純粋に例示としての、したがって非限定な本発明の実施形態を示すものである。実施形態は添付の図面に図示する。
【００１５】
図１は、本発明に係わる小袋を模式的に示す斜視図である。
【００１６】
図２は、図１中の線ＩＩ−ＩＩにそった断面図である。
【００１７】
上記の図を参照すれば、本発明の、粉砕された洗濯機用粉末洗浄剤の小袋全体は、参照番号１で示されている。小袋に収納された製品は図２に模式的に示されており、その全体が参照番号２で示されている。
【００１８】
小袋１は、不織布からなる袋の形態になっており、内部に収納された製品２を洗濯中に徐々に放出し、洗濯物を洗浄するようになっている。
【００１９】
不織布は、製品２を放出して空になった袋が溶液中の遊離した染料に対し作用し、染料を吸収し色が洗濯物へ移ることを防止できるように、適宜加工される。
【００２０】
袋に用いる不織布は、好ましくは、白のスパンレースであって、ビスコースおよびポリプロピレンをそれぞれ８０％および２０％の割合で含有し、７９ｇ／ｍ２  ＋／− １２％の重量になっている。
【００２１】
このようにすることによって、不織布の材料は熱シール可能になり、袋は、外周シール３を用いて閉じることができる。それゆえ、製品２は、確実に小袋内に収納された状態で留まっている。
【００２２】
小袋に収納されている製品２は、可変であるが事前に予め秤量された量の洗濯機用洗浄剤であり、清浄剤、香料、デスケーラ、および必要に応じて漂白剤が添加されている。
【００２３】
製品２（すなわち、より一般的な意味では、洗濯機用洗浄剤）の典型的な組成は、以下のとおりである。
アニオン性界面活性剤  ７％、
非イオン性界面活性剤  ６％、
ナトリウム石鹸  ３％、  金属イオン封鎖剤  １２％、
炭酸塩  １２％、
ケイ酸塩  ５％、
過炭酸ナトリウム  １３％、
香料  ０．２％、
酵素  ０．５％、
ＴＡＥＤ（テトラアセチルエチレンジアミン）、再析出防止剤、リン酸塩、消泡剤、および蛍光増白剤        ＜１％、
充填剤としてのケイ酸ナトリウム  １００％になるように適量、である。
【００２４】
袋の平均重量は約４５ｇである。
【００２５】
本発明の小袋は、使用準備済みであり、洗濯機ドラム内の洗濯物の上に直接置かれるべきであり、低温を含めたすべての温度で使用可能である。
【００２６】
本発明の小袋は、この小袋を包装する段ボール箱がリサイクル可能であるのと同様に、使用済み袋がリサイクル可能である点で環境にやさしい。
【００２７】
本発明の小袋によれば、洗濯物の洗浄、香り付け、清浄、およびデスケール作用、ならびに必要に応じて漂白および染料の吸収といった複数の効果を同時に実現することが可能である。
【００２８】
本発明の製品によれば、包装の量および体積を削減し、いかなる種類のプラスチックも使用せず、液体を使用しない。よって、製品の重量が削減できる。
【００２９】
上記において、本発明に係わる長所を、純粋に例示としての、したがって非限定な本発明の実施形態において記載および説明したように、本発明に係わる長所は明確である。添付の請求項によって規定される本発明の範囲から逸脱することなく、詳細にわたる種々の変更を、本発明に対して加えることが可能であることは理解されるであろう。
【図面の簡単な説明】
【００３０】
【図１】本発明に係わる小袋を模式的に示す斜視図である。
【図２】図１中の線ＩＩ−ＩＩに沿った断面図である。
【図１】
2011521087.tif 000003
【図２】
2011521087.tif 000004
【国際調査報告】
2011521087.tif 000005
2011521087.tif 000006
2011521087.tif 000007